(57)【要約】      （修正有）【課題】モータの出力軸の軸ぶれを防止又は抑制できる車両用ミラー装置を得る。【解決手段】本ドアミラー装置１０では、モータ６０の本体部６２が固定されるケース部材２８の本体部３０によって出力軸６６が軸支されている。またモータ６０の出力軸６６は、ウォームギヤ７０を貫通した先端部がケース部材２８の本体部３０の軸受孔７２に軸支されており、ウォームギヤ７０とモータ６０の本体部６２との間の中間部が軸受部材７４を介してケース部材２８の本体部３０に軸支されている。このように、モータ６０の出力軸６６がウォームギヤ７０の軸線方向両側でケース部材２８に軸支されているため、モータ６０の駆動時（ミラーの回動時）にウォームシャフト５０（ヘリカルギヤ部５４）からウォームギヤ７０に作用する反力をウォームギヤ７０の軸線方向両側で受けることができ、出力軸６６に軸ぶれが生じることを防止又は抑制できる。【選択図】  図１
2006312343.tif 000002
【特許請求の範囲】
【請求項１】
車体側に固定された支持軸に回動自在に支持されると共に車両後方視認用のミラーに直接的又は間接的に連結されたケース部材と、
前記ケース部材に固定されると共に出力軸が前記ケース部材に軸支され、少なくとも前記出力軸に支持された初段ギヤを介して駆動力を前記支持軸に伝達し前記ケース部材を前記ミラーと一体で前記支持軸周りに回動させるモータと、
を備えた車両用ミラー装置。
【請求項２】
車体側に固定された支持軸に回動自在に支持されると共に車両後方視認用のミラーに直接的又は間接的に連結されたケース部材と、
前記ケース部材に固定され、少なくとも出力軸に支持された初段ギヤを介して駆動力を前記支持軸に伝達し前記ケース部材を前記ミラーと一体で前記支持軸周りに回動させるモータと、
を備えた車両用ミラー装置において、
前記ケース部材は、前記初段ギヤの軸線方向両側で前記出力軸を軸支する軸受手段を有する、
ことを特徴とする車両用ミラー装置。
【請求項３】
車体側に固定された支持軸に回動自在に支持されると共に車両後方視認用のミラーに直接的又は間接的に連結されたケース部材と、
出力軸が前記支持軸に対して平行な状態で本体部が前記ケース部材に固定されたモータと、
前記出力軸に支持された初段ギヤと、
前記支持軸に同軸的かつ回転不能に支持された最終ギヤと、
前記ケース部材に回転自在に支持されると共に、前記初段ギヤ及び前記最終ギヤに噛合された中間ギヤと、
を備えた車両用ミラー装置において、
前記ケース部材は、
前記初段ギヤを貫通した前記出力軸の先端部を回転可能に軸支する第１軸受部と、
前記出力軸における前記初段ギヤと前記モータ本体部との間の中間部を軸支する第２軸受部と、
を有する、ことを特徴とする車両用ミラー装置。
【請求項４】
前記ケース部材は、底壁が段付き状に形成され、前記底壁の上段部に前記モータ本体部が固定されかつ前記第２軸受部が設けられ、前記底壁の下段部に前記第１軸受部が設けられる、ことを特徴とする請求項３記載の車両用ミラー装置。
【請求項５】
前記第２軸受部は、前記ケース部材の本体部とは独立して形成され、前記出力軸の前記中間部が回転自在に嵌合する円孔を有すると共に前記ケース部材本体部に取り付けられる軸受部材とされる、ことを特徴とする請求項３記載又は請求項４記載の車両用ミラー装置。
【請求項６】
前記出力軸は、前記中間部に径方向に同心状に突出するフランジ部を有し、
前記第２軸受部は、前記ケース部材に形成され、前記フランジ部が回転自在に嵌合する軸受孔とされる、
ことを特徴とする請求項３記載又は請求項４記載の車両用ミラー装置。
【発明の詳細な説明】
【技術分野】
【０００１】
本発明は、車両に設けられる車両用ミラー装置に関する。
【背景技術】
【０００２】
例えば、車両用ドアミラー装置では、駆動機構（格納機構）を備えており（例えば、特許文献１参照）、駆動機構はスタンドを有している。スタンドは車体側に固定されると共に、スタンドには支持軸が一体に設けられている。
【０００３】
また、駆動機構はケース部材を備えており、ケース部材は支持軸に回動自在に支持されている。ケース部材はステー等を介して車両後方視認用のミラーに連結されており、ケース部材は基本的にミラーと一体に回動する。
【０００４】
ケース部材の内部にはモータベースが固定されており、モータベースの上側にはモータがスクリューによって固定されている。モータの出力軸はモータベースの底壁を貫通しており、該出力軸にはモータベースの下側においてウォームギヤが圧入されている。出力軸の先端部はウォームギヤから突出しており、ケース部材に形成された軸受孔に挿入されている。
【０００５】
さらに、ウォームギヤにはヘリカルギヤが噛合されており、ウォームギヤの回転によりヘリカルギヤが回転されることで、支持軸に回転力が付与されてその回転力の反力でケース部材が回動される。これにより、ミラーが格納または起立される構成である。
【０００６】
しかしながら、上記構成の車両用ドアミラー装置では、上述の如く、モータが固定されるモータベースがケース部材に固定されると共に、モータの出力軸の先端部がケース部材に軸支される構成である。このため、モータベースとケース部材との寸法誤差や組付誤差が出力軸の軸芯精度に影響し、出力軸に軸ぶれが発生するという問題がある。このような出力軸の軸ぶれは、振動打音（騒音・異音）発生の原因となり、駆動機構の低騒音化の妨げとなっている。
【特許文献１】特開２００２−２７４２６７号公報
【発明の開示】
【発明が解決しようとする課題】
【０００７】
本発明は上記事実を考慮し、モータの出力軸の軸ぶれを防止又は抑制できる車両用ミラー装置を得ることが目的である。
【課題を解決するための手段】
【０００８】
上記課題を解決するために、請求項１に係る発明の車両用ミラー装置は、車体側に固定された支持軸に回動自在に支持されると共に車両後方視認用のミラーに直接的又は間接的に連結されたケース部材と、前記ケース部材に固定されると共に出力軸が前記ケース部材に軸支され、少なくとも前記出力軸に支持された初段ギヤを介して駆動力を前記支持軸に伝達し前記ケース部材を前記ミラーと一体で前記支持軸周りに回動させるモータと、を備えたことを特徴としている。
【０００９】
請求項１記載の車両用ミラー装置では、モータが駆動されると、モータの出力軸に支持された初段ギヤを介してモータの駆動力が支持軸に伝達され、ケース部材がミラーと供に支持軸周りに回動される。
【００１０】
ここで、モータはケース部材に固定されると共に、当該ケース部材によって出力軸が軸支されている。したがって、出力軸の軸芯精度を容易に確保することが可能であり、これにより、出力軸の軸ぶれを防止又は抑制できる。
【００１１】
なお、初段ギヤは、モータの出力軸に対して固定された構造であってもよいし、モータの出力軸に対して同軸的かつ所定角度相対回転可能に支持された構造（所謂「遊嵌構造」）であってもよい。この遊嵌構造としては、本件出願人が既に出願した「特願２００３−１０４９８２」に記載されている構造を適用することができる。この点は、以下の請求項２及び請求項３においても同様である。
【００１２】
請求項２に係る発明の車両用ミラー装置は、車体側に固定された支持軸に回動自在に支持されると共に車両後方視認用のミラーに直接的又は間接的に連結されたケース部材と、
前記ケース部材に固定され、少なくとも出力軸に支持された初段ギヤを介して駆動力を前記支持軸に伝達し前記ケース部材を前記ミラーと一体で前記支持軸周りに回動させるモータと、を備えた車両用ミラー装置において、前記ケース部材は、前記初段ギヤの軸線方向両側で前記出力軸を軸支する軸受手段を有する、ことを特徴としている。
【００１３】
請求項２記載の車両用ミラー装置では、モータが駆動されると、モータの出力軸に支持された初段ギヤを介してモータの駆動力が支持軸に伝達され、ケース部材がミラーと供に支持軸周りに回動される。
【００１４】
ここで、モータはケース部材に固定されると共に、当該ケース部材に設けられた軸受手段によって出力軸が軸支されている。したがって、出力軸の軸芯精度を容易に確保することが可能であり、これにより、出力軸の軸ぶれを防止又は抑制できる。
【００１５】
しかも、モータの出力軸は、軸受手段によって初段ギヤの軸線方向両側でケース部材に軸支されている。したがって、モータの駆動時（ミラーの回動時）に支持軸側から初段ギヤに作用する反力によって出力軸に軸ぶれが生じることを防止又は抑制できる。
【００１６】
請求項３に係る発明の車両用ミラー装置は、車体側に固定された支持軸に回動自在に支持されると共に車両後方視認用のミラーに直接的又は間接的に連結されたケース部材と、出力軸が前記支持軸に対して平行な状態で本体部が前記ケース部材に固定されたモータと、前記出力軸に支持された初段ギヤと、前記支持軸に同軸的かつ回転不能に支持された最終ギヤと、前記ケース部材に回転自在に支持されると共に、前記初段ギヤ及び前記最終ギヤに噛合された中間ギヤと、を備えた車両用ミラー装置において、前記ケース部材は、前記初段ギヤを貫通した前記出力軸の先端部を回転可能に軸支する第１軸受部と、前記出力軸における前記初段ギヤと前記モータ本体部との間の中間部を軸支する第２軸受部と、を有する、ことを特徴としている。
【００１７】
請求項３記載の車両用ミラー装置では、モータが駆動されると、モータの出力軸に支持された初段ギヤが回転すると共に、初段ギヤに噛合された中間ギヤが回転する。中間ギヤには車体側に固定された支持軸に同軸的かつ相対回転不能に支持された最終ギヤが噛合されている。このため、中間ギヤから最終ギヤ（支持軸）に付与される回転力の反力でケース部材がミラーと供に支持軸周りに回動される。
【００１８】
ここで、モータはケース部材に固定されると共に、当該ケース部材に設けられた第１軸受部と第２軸受部とによって出力軸が軸支されている。したがって、出力軸の軸芯精度を容易に確保することが可能であり、これにより、出力軸の軸ぶれを防止又は抑制できる。
【００１９】
しかも、モータの出力軸は、初段ギヤを貫通した先端部がケース部材の第１軸受部に軸支されており、初段ギヤとモータ本体部との間の中間部がケース部材の第２軸受部に軸支されている。すなわち、モータの出力軸は、初段ギヤの軸線方向両側でケース部材に軸支されているため、モータの駆動時（ミラーの回動時）に中間ギヤから初段ギヤに作用する反力によって出力軸に軸ぶれが生じることを防止又は抑制できる。
【００２０】
さらに、初段ギヤに噛合された中間ギヤもケース部材に支持されている。したがって、初段ギヤと中間ギヤとの軸精度（軸間距離、軸芯）を向上させることが可能であり、初段ギヤと中間ギヤとの噛合い状態を良好に確保できる。これにより、初段ギヤが中間ギヤからの抑揚（ラジアル力による変動）を受けることで、異音（うなり音）が発生することを防止できる。
【００２１】
請求項４に係る発明の車両用ミラー装置は、請求項３記載の車両用ミラー装置において、前記ケース部材は、底壁が段付き状に形成され、前記底壁の上段部に前記モータ本体部が固定されかつ前記第２軸受部が設けられ、前記底壁の下段部に前記第１軸受部が設けられる、ことを特徴としている。
【００２２】
請求項４記載の車両用ミラー装置では、モータの本体部は、ケース部材の底壁の上段部に固定されている。この底壁の上段部には第２軸受部が設けられており、出力軸の中間部が軸支されている。また、底壁の下段部には第１軸受部が設けられており、初段ギヤを貫通した出力軸の先端部が軸支されている。このように、ケース部材の底壁が段付き状に形成されているため、モータがケース部材に対して縦方向に配置されていても、第１軸受部と第２軸受部とを好適に配置できる。
【００２３】
請求項５に係る発明の車両用ミラー装置は、請求項３記載又は請求項４記載の車両用ミラー装置において、前記第２軸受部は、前記ケース部材の本体部とは独立して形成され、前記出力軸の前記中間部が回転自在に嵌合する円孔を有すると共に前記ケース部材本体部に取り付けられる軸受部材とされる、ことを特徴としている。
【００２４】
請求項５記載の車両用ミラー装置では、モータの出力軸は、初段ギヤとモータ本体部との間の中間部が軸受部材の円孔に回転自在に嵌合している。この軸受部材は、ケース部材の本体部に回転不能に取り付けられており、これにより、出力軸の中間部がケース部材の本体部に軸支されている。
【００２５】
請求項６に係る発明の車両用ミラー装置は、請求項３記載又は請求項４記載の車両用ミラー装置において、前記出力軸は、前記中間部に径方向に同心状に突出するフランジ部を有し、前記第２軸受部は、前記ケース部材に形成され、前記フランジ部が回転自在に嵌合する軸受孔とされる、ことを特徴としている。
【００２６】
請求項６記載の車両用ミラー装置では、モータの出力軸は、その中間部に径方向に同心状に突出するフランジ部を有している。このフランジ部はケース部材に形成された軸受孔に回転自在に嵌合しており、これにより、出力軸の中間部がケース部材に軸支されている。
【発明の効果】
【００２７】
以上説明した如く、本発明の車両用ミラー装置では、モータの出力軸の軸ぶれを防止又は抑制できる。
【発明を実施するための最良の形態】
【００２８】
＜第１の実施の形態＞
図９には、本発明の第１の実施の形態に係る車両用ミラー装置としてのドアミラー装置１０の概略的な構成が正面図にて示されている。
【００２９】
なお、以下の説明で使用する「上」及び「下」の方向性は、本ドアミラー装置１０が車両に取り付けられた状態での方向性を示すものである。
【００３０】
ドアミラー装置１０は、ミラー装置本体１２を備えている。ミラー装置本体１２はバイザ１４を備えており、バイザ１４の内側には車両後方視認用のミラー１６が支持されている。
【００３１】
また、ドアミラー装置１０は、図示しない車両のドアパネルに締結固定されたステー１８を備えており、ステー１８とミラー装置本体１２との間には駆動機構２０が設けられている。
【００３２】
ここで、図８には、駆動機構２０の全体構成が斜視図にて示されており、図７には、駆動機構２０の全体構成が分解斜視図にて示されている（なお、図８では、一部の構成部材の図示を省略してある）。
【００３３】
これらの図に示す如く、駆動機構２０は、スタンド２２を備えており、スタンド２２はステー１８に固定される固定部２４と、固定部２４の上側に一体的に立設された円筒状の支持軸２６とを備えている。
【００３４】
また、駆動機構２０は、ケース部材２８を備えており、ケース部材２８は、本体部３０と、該本体部３０に着脱可能に取り付けられるカバー３２とを備えている。図６に示す如く、本体部３０の底壁は上段部３４と下段部３６とを有する段付き状に形成されている。下段部３６には貫通孔３７（図４参照）が形成されており、支持軸２６が回転自在に挿通されている。また、カバー３２の底壁には、円筒状の支持部３８が突設されており、この支持部３８が支軸部２６の先端に回転自在に嵌合している。これにより、ケース部材２８は、支持軸２６に回動自在に支持されている。
【００３５】
なお、図７に示す如く、本体部３０の下段部３６とスタンド２２の固定部２４との間には、ディテントプレート４０が配置されており、ケース部材２８の支持軸２６に対する回動範囲が所定の範囲に制限されるようになっている。
【００３６】
一方、本体部３０の内側には、最終ギヤとしてのギヤプレート４２が配置されている。ギヤプレート４２は、支持軸２６に同軸的かつ回転可能に支持されている。
【００３７】
ギヤプレート４２を介してケース部材２８の下段部３６とは反対側には、クラッチディスク４４が配置されている。クラッチディスク４４は支持軸２６に同軸的に支持されており、支持軸２６に対して回転不能でかつ軸線方向移動可能とされている。このクラッチディスク４４は、ギヤプレート４２の内周部に形成された凹部に嵌合する凸部を有しており、クラッチディスク４４とギヤプレート４２とは周方向に沿った所定の一位置でのみ噛合い係合するようになっている。
【００３８】
また、クラッチディスク４４を介してギヤプレート４２とは反対側には、ティースワッシャ４６が配置されている。ティースワッシャ４６は、支持軸２６の先端部に軸線方向移動不能に取り付けられている。
【００３９】
さらに、ティースワッシャ４６とクラッチディスク４４との間には、捩りコイルスプリング４８が配置されている。この捩りコイルスプリング４８は、クラッチディスク４４をギヤプレート４２との係合方向に付勢している。これにより、通常はギヤプレート４２とクラッチディスク４４との噛合い係合状態が維持され、ギヤプレート４２の支持軸２６に対する相対回転が規制されるようになっている。
【００４０】
また、図５にも示す如く、ギヤプレート４２の径方向側方には、中間ギヤとしてのウォームシャフト５０が設けられている。ウォームシャフト５０は、図６に示す如く、その軸線Ａが支持軸２６の軸線Ｂに交差する状態で配置されており、ギヤプレート４２に噛合されたウォームギヤ部５２とヘリカルギヤ部５４とを一体的に有している。このウォームシャフト５０は、軸線方向両端部が金属カラー５６を介して本体部３０に支持されることで、自らの軸線周りに回転自在とされている。
【００４１】
ウォームシャフト５０の上方には、コ字状に形成されたギヤＣＰサポート５８が配置されている。ギヤＣＰサポート５８は、開口側の両端部が各々金属カラー５６に当接している（図４参照）。さらに、ギヤＣＰサポート５８の上方には、モータ６０の本体部６２が配置されており、当該本体部６２がギヤＣＰサポート５８の上端部に当接している。本体部６２は、ケース部材２８の本体部３０の上段部３４にスクリュー６４によって固定されており（図３参照）、ギヤＣＰサポート５８は、スクリュー６４による本体部６２の本体部３０への締結力により、図２に示す如く、開口側の両端部が金属カラー５６に押し付けられている（矢印Ｄ参照）。これにより、金属カラー５６（ウォームシャフト５０）の浮き上がりが防止されている。
【００４２】
また、モータ６０の出力軸６６は、図６に示す如く、その軸線Ｃが支持軸２６の軸線Ｂに対して平行な状態（ウォームシャフト５０の軸線Ａに交差する状態）で配置されており、本体部３０の上段部３４から下段部３６にかけて形成された断面略円形の収容孔６８内に収容されている。
【００４３】
収容孔６８はウォームシャフト５０側へ開口しており、出力軸６６に圧入固定された初段ギヤとしてのウォームギヤ７０がウォームシャフト５０側へ露出している。このウォームギヤ７０は、ウォームシャフト５０のヘリカルギヤ部５４に噛合されている。
【００４４】
また、図１に示す如く、出力軸６６の先端部は、ウォームギヤ７０を貫通して下側へ突出しており、下段部３６に形成された第１軸受部としての軸受孔７２に回転自在に軸支されている。
【００４５】
さらに、ウォームギヤ７０とモータ６０の本体部６２との間には、ケース部材２８を構成する軸受部材７４が設けられている。軸受部材７４は円筒状に形成されており、軸心部に形成された円孔７５に出力軸６６の中間部が回転自在に嵌合している。この軸受部材７４は、収容孔６８の上端側に嵌合すると共に、支持軸２６側の外周がギヤＣＰサポート５８に形成された円弧状の保持面に保持されることで本体部３０に取り付けられており、これにより、出力軸６６の中間部は、軸受部材７４によって本体部３０に軸支されている。なお、軸受部材７４は、ウォームギヤ７０との摺動抵抗が小さい材料で形成することが好ましい。
【００４６】
次に、本第１の実施の形態の作用について説明する。
【００４７】
上記構成のドアミラー装置１０では、モータ６０が駆動されることで、ウォームギヤ７０、ウォームシャフト５０（ウォームギヤ部５２及びヘリカルギヤ部５４）が回転され、これにより、支持軸２６のギヤプレート４２に付与される回転力の反力でケース部材２８が回動される。このため、ミラー１６がバイザ１４及びケース部材２８と一体に回動されて格納または起立される。
【００４８】
ここで、本第１の実施の形態に係るドアミラー装置１０では、モータ６０はケース部材２８の本体部３０に固定されると共に、モータ６０の出力軸６６は、ウォームギヤ７０を貫通した先端部がケース部材２８の本体部３０の軸受孔７２に軸支されており、ウォームギヤ７０とモータ６０の本体部６２との間の中間部が軸受部材７４を介してケース部材２８の本体部３０に軸支されている。
【００４９】
このように、モータ６０の本体部６２が固定されるケース部材２８の本体部３０によって出力軸６６が軸支されているため、出力軸６６の軸芯精度を容易に確保することが可能であり、これにより、出力軸６６に軸ぶれが生じることを防止又は抑制できる。
【００５０】
ところで、従来の車両用ドアミラー装置の駆動機構では、モータの出力軸は、先端部（ウォームギヤの軸線方向一端側）のみが軸支された構成（片持ち構造）であるため、ヘリカルギヤからウォームギヤに作用する反力により出力軸に軸ぶれが発生するという問題があった。
【００５１】
この点、本第１の実施の形態に係るドアミラー装置１０では、上述の如く、モータ６０の出力軸６６がウォームギヤ７０の軸線方向両側でケース部材２８に軸支されているため、モータ６０の駆動時（ミラーの回動時）にウォームシャフト５０（ヘリカルギヤ部５４）からウォームギヤ７０に作用する反力（図１の矢印Ｅ参照）をウォームギヤ７０の軸線方向両側で受けることができ（図１の矢印Ｆ参照）、これにより、出力軸６６に軸ぶれが生じることを防止又は抑制できる。したがって、出力軸６６の軸ぶれによる振動打音の発生が防止又は抑制され、駆動装置２０の低騒音化が実現される。
【００５２】
図１０には、従来のドアミラー装置（モータの出力軸が片持ち構造のドアミラー装置）と本第１の実施の形態に係るドアミラー装置１０における作動音の騒音レベルと周波数との関係が線図にて示されている。
【００５３】
図１０より、本ドアミラー装置１０では、従来のドアミラー装置に比べて全周波数成分の音圧が大幅に低減し、作動音が約３０％低減していることがわかる。
【００５４】
また、本第１の実施の形態に係るドアミラー装置１０では、各ギヤ（ウォームギヤ７０、ウォームシャフト５０、ギヤプレート４２）がケース部材２８の本体部３０を基準として取り付けられているので（全てのギヤが本体部３０一部品に集約されているので）、上記各ギヤの軸精度（軸間距離、軸芯）が向上し、ウォームシャフト５０（２段目のギヤ）以降からの抑揚（ラジアル力による変動）を受けにくく、異音（うなり音）が発生しない。
【００５５】
図１１には、従来のドアミラー装置（モータの出力軸が片持ち構造のドアミラー装置）の作動時における異音と時間との関係が線図にて示されており、図１２には、本第１の実施の形態に係るドアミラー装置１０の作動時における異音と時間との関係が線図にて示されている。
【００５６】
図１１より、従来のドアミラー装置では、異音（うなり音）が発生することがわかる（図１１の波線参照）。これは初段ギヤ（ウォームギヤ）が２段目のギヤ（ウォームシャフト）から抑揚（変動）を受けることが原因である。これに対し、図１２より、本ドアミラー装置１０では、上記各ギヤが本体部３０一部品に集約されると共に、出力軸６６がウォームギヤ７０の軸線方向両端側で軸支されているため、作動時に異音が発生しないことがわかる。
【００５７】
さらに、本第１の実施の形態に係るドアミラー装置１０では、上述の如き構成としたことで、例えば、モータ６０の負荷電力が約１０％低減し、作動音のバラツキが約５０％低減する。
【００５８】
またさらに、本第１の実施の形態に係るドアミラー装置１０では、ケース部材２８の本体部３０を基準として各構成部材を組付ける構成としたことで、例えば、部品点数が約２０％、重量が約１０％低減し、組付け工数も約１０％少なくすることができる。
【００５９】
また、本第１の実施の形態に係るドアミラー装置１０では、スタンド２２に支持される部品以外は、ケース部材２８の本体部３０を基準に全て真上から一方向組付けができるので、組付性が良好であり生産性が大幅に向上する。
【００６０】
しかも、本第１の実施の形態に係るドアミラー装置１０では、ケース部材２８（本体部３０）の底壁が段付き状に形成されているため、モータ６０がケース部材２８に対して縦方向に配置されていても、軸受孔７２（第１軸受部）と軸受部材７４（第２軸受部）とを好適に配置できる。
【００６１】
以上の如く、本発明の第１の実施の形態に係るドアミラー装置１０では、モータ６０の出力軸６６の軸ぶれを防止又は抑制できる。
【００６２】
なお、上記第１の実施の形態に係るドアミラー装置１０では、初段ギヤとしてのウォームギヤ７０がモータ６０の出力軸６６に圧入固定された構造としたが、これに限らず、初段ギヤがモータの出力軸に対して同軸的かつ所定角度相対回転可能に支持された構造（所謂「遊嵌構造」）としてもよい。この遊嵌構造としては、本件出願人が既に出願した「特願２００３−１０４９８２」に記載されている構造を適用することができる。このようにモータの出力軸と初段ギヤとが遊嵌構造である場合、出力軸の軸ぶれを一層効果的に抑制することができる。
＜第２の実施の形態＞
次に、本発明の第２の実施の形態について説明する。なお、前記第１の実施の形態と基本的に同一の構成・作用については、前記第１の実施の形態と同符号を付与し、その説明を省略する。
【００６３】
図１３には、本発明の第２の実施の形態に係る車両用ミラー装置としてのドアミラー装置８０のモータ８２を含む周辺部材の構成が断面図にて示されている。
【００６４】
ドアミラー装置８０は、前記第１の実施の形態に係るドアミラー装置１０と基本的に同様の構成であるが、このドアミラー装置８０では、モータ８２の出力軸８４は、ウォームギヤ７０とモータ８２の本体部８６との間の中間部に径方向に同心状に突出するフランジ部８８を有している。このフランジ部８８は、本体部３０の収容孔６８の上端部およびギヤＣＰサポート５８（図１３では図示省略）により回転自在に軸支されている。すなわち、このドアミラー装置８０では、収容孔６８の上端部とギヤＣＰサポート５８が第２軸受部としての軸受孔を構成している。
【００６５】
上記構成のドアミラー装置８０においても、前記第１の実施の形態に係るドアミラー装置１０と基本的に同様の作用・効果を奏する。
【図面の簡単な説明】
【００６６】
【図１】本発明の第１の実施の形態に係る車両用ミラー装置のモータを含む周辺部材の構成を示す断面図である。
【図２】本発明の第１の実施の形態に係る車両用ミラー装置のモータを含む周辺部材の構成を示す断面図である。
【図３】本発明の第１の実施の形態に係る車両用ミラー装置のケース部材の本体部へのモータの取付け状態を示す斜視図である。
【図４】本発明の第１の実施の形態に係る車両用ミラー装置のケース部材の本体部への中間ギヤの取付け状態を示す斜視図である。
【図５】本発明の第１の実施の形態に係る車両用ミラー装置のケース部材の本体部への中間ギヤと最終ギヤの取付け状態を示す平面図である。
【図６】本発明の第１の実施の形態に係る車両用ミラー装置のケース部材の本体部の構成を示す斜視図である。
【図７】本発明の第１の実施の形態に係る車両用ミラー装置の駆動機構の構成を示す分解斜視図である。
【図８】本発明の第１の実施の形態に係る車両用ミラー装置の駆動機構の構成を示す斜視図である。
【図９】本発明の第１の実施の形態に係る車両用ミラー装置の概略的な構成を示す正面図である。
【図１０】本発明の第１の実施の形態に係る車両用ミラー装置と従来のドアミラー装置における作動音の騒音レベルと周波数との関係を示す線図である。
【図１１】従来のドアミラー装置の作動時における異音と時間との関係を示す線図である。
【図１２】本発明の第１の実施の形態に係る車両用ミラー装置の作動時における異音と時間との関係を示す線図である。
【図１３】本発明の第２の実施の形態に係る車両用ミラー装置のモータを含む周辺部材の構成を示す断面図である。
【符号の説明】
【００６７】
１０          ドアミラー装置（車両用ミラー装置）
１６          ミラー
２６          支持軸
２８          ケース部材
３０          ケース部材の本体部
３４          上段部
３６          下段部
４２          ギヤプレート（最終ギヤ）
５０          ウォームシャフト（中間ギヤ）
６０          モータ
６２          モータの本体部
６６          出力軸
６８          収容孔
７０          ウォームギヤ（初段ギヤ）
７２          軸受孔（第１軸受部、軸受手段）
７４          軸受部材（第２軸受部、軸受手段）
７５          円孔
８０          車両用ミラー装置
８２          モータ
８４          出力軸
８６          モータの本体部
８８          フランジ部
【図１】
2006312343.tif 000003
【図２】
2006312343.tif 000004
【図３】
2006312343.tif 000005
【図４】
2006312343.tif 000006
【図５】
2006312343.tif 000007
【図６】
2006312343.tif 000008
【図７】
2006312343.tif 000009
【図８】
2006312343.tif 000010
【図９】
2006312343.tif 000011
【図１０】
2006312343.tif 000012
【図１１】
2006312343.tif 000013
【図１２】
2006312343.tif 000014
【図１３】
2006312343.tif 000015